(57)【特許請求の範囲】
【請求項１】
一つのセットで使用される洗濯機及び乾燥機の上部に各々設けられるトップカバーと、
単一の特定外観を維持するために前記トップカバーの後方に各々互いに交換可能に提供され、前面には一定の形状の開口部が形成されるリアカバーと、
前記リアカバーに形成されている開口部に着脱可能に提供され、前記洗濯機または乾燥機の動作状態を表示し、ユーザーが動作指示を入力できるコントロールユニットと、
前記リアカバーと隣接して設けられ、前記洗濯機または乾燥機の動作を各々制御するコントローラを含んで構成されることを特徴とする洗濯機及び乾燥機セット。
【請求項２】
前記コントロールユニットの中で少なくとも一つはタッチパネルであることを特徴とする請求項１記載の洗濯機及び乾燥機セット。
【請求項３】
前記タッチパネルは画像を表示するディスプレイ領域と前記ディスプレイ領域内にユーザーが動作指示を入力できる動作指示入力領域とを含むことを特徴とする請求項２記載の洗濯機及び乾燥機セット。
【請求項４】
前記コントロールユニットの中で少なくとも一つは動作状態を表示するディスプレイユニット及び少なくとも一つの動作指示入力用ボタンが提供されることを特徴とする請求項１記載の洗濯機及び乾燥機セット。
【請求項５】
前記リアカバーは左右両側先端の高さが異なることを特徴とする請求項１記載の洗濯機及び乾燥機セット。
【請求項６】
前記特定外観は前記リアカバーの周辺に形成される連続的な外観であることを特徴とする請求項１記載の洗濯機及び乾燥機セット。
【請求項７】
前記リアカバーは互いに対称になる形状に提供されることを特徴とする請求項６記載の洗濯機及び乾燥機セット。
【請求項８】
前記各々のトップカバーの後方には一定の深さを有して下側に陥没し、前記コントローラが設けられる収用部が形成されることを特徴とする請求項１記載の洗濯機及び乾燥機セット。
【請求項９】
前記各々の収用部の深さは前記コントローラと前記リアカバーの干渉防止に充分であることを特徴とする請求項８記載の洗濯機及び乾燥機セット。
【請求項１０】
前記リアカバーは左右両側に同じ高さに延長されて形成された基底部を含んでなることを特徴とする請求項１記載の洗濯機及び乾燥機セット。
【請求項１１】
前記基底部の高さは前記コントローラの高さより高く形成されることを特徴とする請求項１０記載の洗濯機及び乾燥機セット。
【請求項１２】
前記洗濯機及び乾燥機セットは前記コントロールユニットとコントローラとを連結する電線を有することを特徴とする請求項１記載の洗濯機及び乾燥機セット。
【請求項１３】
前記電線は各々トップカバーの左右幅に対応する長さを有することを特徴とする請求項１２記載の洗濯機及び乾燥機セット。
【請求項１４】
洗濯機または乾燥機の上部に設けられるトップカバーの後方に装着され、前面に一定の形状を有する開口部を含むリアカバーと、
前記開口部に着脱可能に提供され、前記洗濯機または乾燥機の動作状態を表示し、ユーザーが動作指示を入力できるコントロールユニットからなり、
前記洗濯機及び乾燥機のうち、任意の二つを選択して構成される一つのセット内で単一な特定外観を形成し、前記一つのセットで前記特定外観を維持するように互いに交換可能な洗濯機及び乾燥機用リアカバーアセンブリ。
【請求項１５】
前記コントロールユニットの中で少なくとも一つはタッチパネルであることを特徴とする請求項１４記載のリアカバーアセンブリ。
【請求項１６】
前記タッチパネルは画像を表示するディスプレイ領域と前記ディスプレイ領域内にユーザーが動作指示を入力できる動作指示入力領域とを含むことを特徴とする請求項１５記載のリアカバーアセンブリ。
【請求項１７】
前記コントロールユニットの中で少なくとも一つは動作状態を表示するディスプレイユニット及び少なくとも一つの動作指示入力用ボタンが提供されることを特徴とする請求項１４記載のリアカバーアセンブリ。
【請求項１８】
前記リアカバーは左右両側先端の高さが相異することを特徴とする請求項１４記載のリアカバーアセンブリ。
【請求項１９】
前記特定外観は前記リアカバーの周辺に形成される連続的な外観であることを特徴とする請求項１４記載のリアカバーアセンブリ。
【請求項２０】
前記洗濯機のリアカバーと前記乾燥機のリアカバーとは互いに対称する形状に提供されることを特徴とする請求項１９記載のリアカバーアセンブリ。
【発明の詳細な説明】
【０００１】
【発明の属する技術分野】
本発明は洗濯と乾燥とを共に行う洗濯機及び乾燥機セットに関するもので、より詳しくは前記セット内の洗濯機及び乾燥機に用いられるリアカバーアセンブリに関する。
【０００２】
【従来の技術】
一般的に洗濯機及び乾燥機は互いに補完的機能を提供するため、必要によってこれらの洗濯機及び乾燥機は並べて設けられて用いられることもある。従って、かかる独立的な洗濯機及び乾燥機を一つのセットとして互いに組合せた洗濯システムが最近常用化されている。前記洗濯システムは洗濯機及び乾燥機が構造的には独立的であるが、機能的には連繋するように製造される。また、洗濯システムはユーザーにとって一つのシステムとして認識され得るように全体的に一つの統一したデザインを有する。かかる洗濯システムは仕様に応じてコントロールパネルを含み、後方に突出したリアカバーアセンブリを有することもできる。従って、かかる洗濯システムにおいて、特に前記洗濯機及び乾燥機に各々設けられたリアカバーアセンブリは一つの特定外観を有するように設計される。
【０００３】
一方、住宅の内部構造によって、乾燥機のための排気構造及び洗濯機のための給水／排水構造の配置は各々異なっている。従って、前記洗濯システムの洗濯機及び乾燥機は給水／排水構造及び排気構造に隣接するように各々配列する必要がある。しかし、このように住宅構造に適合するように設けられても、場合によっては前記洗濯システムは外観上不均衡な場合がある。
【０００４】
例えば、住宅の内部にて排水構造が左側に形成されており、排気構造が右側に形成されていると仮定する。このような場合には、左側には洗濯機が、右側には乾燥機が設置されることが好ましい。しかし、住宅の内部設計に応じては排水構造及び排気構造が互いに入れ替えて設計される場合もある。このような場合には、洗濯機及び乾燥機の設置位置が入れ替わるべきである。しかし、洗濯機及び乾燥機の各々のリアカバーアセンブリの形状は半円型または部分的な円弧型を持つように形成される。かかる場合、洗濯機と乾燥機との位置が互いに入れ替わった状態に設けられると、洗濯機のリアカバーアセンブリと乾燥機のリアカバーアセンブリとの形状が互いに似合わなくなる。従って、前記のように位置が入れ替わると、外観上相当な問題点が露呈される。
【０００５】
【発明が解決しようとする課題】
本発明は上記の問題点を解決するためのもので、一つのセットで使用される洗濯機と乾燥機との設置位置が入れ替わっても一体化した外観を維持できるリアカバーを持つ洗濯機及び乾燥機セットを提供することを目的とする。
【０００６】
【課題を解決するための手段】
上記目的を達成するための本発明の第１実施形態によると、本発明は一つのセットで使用される洗濯機及び乾燥機の上部に各々設けられるトップカバーと、単一の特定外観を形成するために前記トップカバーの後方に各々互いに交換可能に提供され、前面には一定の形状の開口部が形成されるリアカバーと、前記各々のリアカバーに形成されている開口部に着脱可能に提供され、前記洗濯機または乾燥機の動作状態を表示し、ユーザーが動作指示を入力できるコントロールユニットと、前記リアカバーの下側に提供され、前記洗濯機または乾燥機の動作を各々制御するコントローラを含んで構成されることを特徴とする洗濯機及び乾燥機セットを提供する。
【０００７】
ここで、前記コントロールユニットはタッチパネルからなり、前記タッチパネルは画像を表示するディスプレイ領域と前記ディスプレイ領域内にユーザーが動作指示を入力できる動作指示入力領域とを含む。
また、前記コントロールユニットには動作状態を表示するディスプレイ及び動作指示入力用ボタンが提供されるように構成し得る。
【０００８】
本発明の第１実施形態として、前記洗濯機及び乾燥機各々のトップカバーの後方には一定の深さを有して下側に陥没した収用部が形成される。ここで、前記収用部の深さは前記コントローラの高さより深く形成されることが好ましい。
【０００９】
一方、第２実施形態として、前記リアカバーは左右両側に同じ高さに延長されて形成された基底部を含んでなされ得る。ここで、前記基底部の高さは前記コントローラの高さより高く形成される。
【００１０】
なお、前記洗濯機及び乾燥機セットは前記コントロールユニットとコントローラとを連結する電線を有し、前記電線は各々トップカバーの左右幅に対応する長さを有する。また、前記リアカバーは左右両側の高さが異なることが望ましい。また、前記特定外観は前記リアカバーにより形成され、前記洗濯機のリアカバーと前記乾燥機のリアカバーとは互いに対称する形状に提供される。
【００１１】
そして、本発明は洗濯機または乾燥機の上部に設けられるトップカバーの後方に装着され、一定の形状を有する開口部を含むリアカバーと、前記開口部に着脱可能に提供され、前記洗濯機または乾燥機の動作状態を表示し、ユーザーが動作指示を入力できるコントロールユニットからなり、前記洗濯機及び乾燥機のうち、任意の二つを選択して構成される一つのセット内で単一な特定外観を形成し、前記一つのセットで前記特定外観を維持するように互いに交換可能な洗濯機及び乾燥機用リアカバーアセンブリを提供する。
【００１２】
ここで、前記コントロールユニットはタッチパネルであり、前記タッチパネルは画像を表示するディスプレイ領域と前記ディスプレイ領域内にユーザーが動作指示を入力できる動作指示入力領域とを含む。
なお、前記コントロールユニットには動作状態を表示するディスプレイユニット及び動作指示入力用ボタンが提供されるように構成され得る。
【００１３】
そして、前記リアカバーは左右両側の高さが異なるように形成される。
また、前記特定外観は前記リアカバーにより形成され、前記洗濯機のリアカバーと前記乾燥機のリアカバーとは互いに対称となる形状に提供される。
【００１４】
【発明の実施の形態】
以下、前記の目的が具体的に実現できる本発明の好ましい実施形態を、添付された図面に基づいて説明する。本実施形態の説明に際して、同一構成に対しては同一名称及び同一符号が用いられ、これによる付加的な説明は下記において省略する。
【００１５】
図１は本発明による洗濯機及び乾燥機セットを示す斜視図であり、図２は本発明による前記洗濯機及び乾燥機セットのリアカバーアセンブリを詳細に示す背面斜視図である。これらの図面を参照して本発明による洗濯システムを説明すると以下の通りである。
【００１６】
本発明による洗濯機Ａ及び乾燥機Ｂは組合せられた一つのセットからなる。そして、図１に示したように、前記洗濯機Ａ及び乾燥機Ｂは互いに独立的で分離された構造を有し、前記洗濯システムを形成するように組合せられる。前記洗濯機Ａはハウジングと前記ハウジング内部に設けられる洗濯のための各種部品を含み、乾燥機Ｂも類似構造を有する。各々のハウジングは全体的に下部のキャビネット１１ａ、１１、前記キャビネット１１ａ、１１の上部に設けられるトップカバー１０ａ、１０及び前記トップカバー１０ａ、１０の後方に位置されるリアカバー２０ａ、２０を有する。前記下部のキャビネット１１ａ、１１は洗濯機Ａ及び乾燥機Ｂの主要部品が設置されるように構成され、かかる部品を保護する。前記トップカバー１０ａ、１０もまた前記キャビネット１１ａ、１１の上部を覆って前記部品を保護する。そして、前記リアカバー２０ａ、２０は洗濯機Ａ及び乾燥機Ｂの操作のためのコントロールユニット２２ａ、２２を各々含み、前記ユニット２２ａ、２２と作動可能に連結されるコントローラを覆う。一方、洗濯機Ａ及び乾燥機Ｂのドアは内部部品の配置に応じて前記洗濯機Ａのトップカバー１０aや乾燥機Ｂのキャビネット１１に設置され得る。
【００１７】
このようなハウジングの内部に前記洗濯機Ａの場合、洗濯槽とこれを回転させるための駆動手段が設けられる。洗濯物は前記洗濯槽内にドアを通じて投入され、前記洗濯槽の回転により洗濯及び脱水される。また、前記乾燥機Ｂの場合、前記ハウジング内部に乾燥ドラムとこれを回転させるための駆動手段、そして空気を加熱するための装置を含む。前記洗濯機で洗濯された洗濯物は前記ドアを通じて乾燥ドラム内に投入され、前記加熱装置を用いて乾燥される。そして、前記洗濯物がよりうまく乾燥できるように、前記乾燥ドラムは前記駆動手段により回転する。従って、前記洗濯機Ａから始まる一般的な洗濯過程は前記乾燥機Ｂで仕上がる。
【００１８】
本発明で洗濯機及び乾燥機のセットはより有機的に連繋するように洗濯機Ａと乾燥機Ｂとが互いに並んで配列される。
【００１９】
前記洗濯機及び乾燥機セットを用いる場合、ユーザーはより便利に全体洗濯過程を一括的に処理できる。即ち、ユーザーは前記洗濯機Ａで洗濯物を洗濯した後、これらの洗濯物を引出して直ちに隣接した乾燥機Ｂで乾燥させ得る。また、好ましくは機能だけではなくデザインにおいても統一できるように一つの洗濯システム内の洗濯機Ａ及び乾燥機Ｂは、図１に示したように同じ高さ及び幅などを有するように設計される。一方、前記ユーザーの操作が容易になるように前記リアカバー２０ａ、２０は前記トップカバー１０ａ、１０から突出することが一般的である。従って、洗濯システムの全体的なデザイン側面で前記リアカバー２０ａ、２０のデザインを一つに統一することが重要である。さらに、かかるリアカバー２０ａ、２０が組み合わせられた場合 、単一の特定外観を形成することが好ましい。ここで、前記特定外観は外観上連続的な曲面をなすことを言う。例えば、図１は一つの柔軟な半楕円形状を形成する前記リアカバー２０ａ、２０を示している。
【００２０】
図２を参照すると、前記リアカバー２０ａ、２０は前記トップカバー１０ａ、１０の上部に設けられる。前記リアカバー２０ａ、２０は前記トップカバー１０ａ、１０の後方に着脱可能に設けられる。着脱可能に設置する方法はスクリューを使用したり、フックを使用した締結などの多様な方式で構成できる。
【００２１】
前記リアカバー２０ａ、２０の前面には開口部が形成されており、前記開口部にコントロールユニット２２ａ、２２が着脱可能に提供される。前記リアカバー２０ａ、２０はユーザーがコントロールユニット２２ａ、２２を容易に操作できるように、前記トップカバー１０ａ、１０から所定の高さに突出している。なお、図１及び図２を参照すると、リアカバー２０ａ、２０が組合せられる際、単一な特定外観、即ち柔軟な半楕円外観を実質的に形成することが分かる。特に、前記リアカバー２０ａ、２０は突出して全体洗濯システムの最上部をアウトライン形成する。前記リアカバー２０ａ、２０は非対称的に形成され得るが、設計及び製作の容易性のため互いに対称的に形成されることが好ましい。
【００２２】
以下、コントロールユニット２２ａ、２２に関して詳しく説明する。コントロールユニット２２ａ、２２の中で少なくとも一つはタッチパネルが使用される。タッチパネルは画像を表示するディスプレイ領域内の動作指示領域をユーザーが加圧して情報を入力し、前記ディスプレイ領域を通じて洗濯機などの作動状態を表示する装置である。従って、前記タッチパネルは画像を表示するディスプレイ領域と前記ディスプレイ領域内にユーザーが洗濯機Ａ及び乾燥機Ｂの動作指示を入力できる動作指示入力領域とを含む。
【００２３】
また、前記コントロールユニット２２ａ、２２はタッチパネルではなく、単純に画像のみを表示する画面及び作動指示のための複数個のボタンを有する装置で構成することもできる。ユーザーは前記ボタンを押して作動制御のための電気信号を発生させ、この信号によってコントローラは各々洗濯機Ａ及び乾燥機Ｂを特定の機能を行うように作動させる。そして、かかる作動に関する情報は前記画面を通じてユーザーに提供される。前記分離可能なコントロールユニット２２ａ、２２は前記リアカバー２０ａ、２０が互いに入れ替われる場合、以前リアカバーから分離して入れ替わったリアカバーと再結合できる。
【００２４】
図２を見ると、左側に洗濯機が位置し、右側に乾燥機が位置している。しかし、住宅または建築物の構造上、排水口及び排気口の位置と前記洗濯機及び乾燥機セットの配列状態とが異なる場合、洗濯機と乾燥機との設置位置を入れ替えるべきである。
【００２５】
図３は洗濯機と乾燥機とが各々設置位置が入れ替わったときの背面図である。この際、洗濯機Ａ及び乾燥機Ｂの相対的な位置変化による前記洗濯機及び乾燥機セットの全体的な特定外観が不連続的であるため、外観上不均衡に変形される。特に、上部のリアカバー２０ａ、２０をなす上部面がなめらかな曲面ではないため、美的に不連続的な外観をなすことになる。従って、本発明で前記リアカバー２０ａ、２０は再び連続的な特定形状を回復するために互いに交換され得る。かかるリアカバーの交換過程を関連図面を参照しながらより詳しく説明すると、次の通りである。
【００２６】
まず、前記リアカバー２０ａ、２０が前記トップカバー１０ａ、１０から分離される。この際、前記コントロールユニット２２ａ、２２は前記リアカバー１１０、２１０の開口部から分離される。
【００２７】
この後、前記リアカバー２０ａ、２０は互いに位置を入れ替えて配置される。これより、図４に示すように、前記洗濯機のリアカバー２０ａは乾燥機のトップカバー１０の上部に、また前記乾燥機のリアカバー２０は洗濯機のトップカバー１０ａの上部に移動する。
【００２８】
そして、前記リアカバー２０ａ、２０から分離したコントロールユニット２２ａ、２２は元来設置された洗濯機及び乾燥機に残留して、入れ替わったリアカバーと再結合する。また、前記リアカバー２０ａ、２０の交換のためには前記リアカバーのための洗濯機と乾燥機各々の装着構造が前記トップカバー１０ａ、１０上に同一に形成されることが好ましい。一般的に前記洗濯機及び乾燥機セットにおいて、洗濯機Ａ及び乾燥機Ｂの大きさ及びこれに従属するリアカバー２０ａ、２０の大きさは基本的に互いに同一に製作される。
【００２９】
前記のようにリアカバー２０ａ、２０の交換により不均衡になったリアカバー２０ａ、２０の外観は、再び最初の単一な連続的な特定外観に回復され、これは洗濯システムの外観を視覚的に均衡にする結果をもたらす。結果的に本発明において、洗濯機と乾燥機との設置位置が入れ替わってもリアカバー２０ａ、２０の交換によりユーザーが外観上の変化を認識できなくなる。
【００３０】
以下、前記リアカバー及びコントローラの装着構造に関する第１実施形態を詳しく説明する。
図２に示すように、洗濯機及び乾燥機の各々のトップカバー１０ａ、１０の後方には一定の深さで下側に陥没した収用部１６ａ、１６が形成される。前記収用部１６ａ、１６にはユーザーの入力指示に従って洗濯機または乾燥機の動作を制御するコントローラ１２ａ、１２が設けられる。
【００３１】
一般的に、前記コントローラ１２ａ、１２は所定の高さを有するため、コントローラ１２ａ、１２と前記コントローラ１２ａ、１２の上部に設けられるリアカバー２０ａ、２０とが干渉されないようにすることが重要である。前述したように、洗濯機と乾燥機との設置位置が入れ替わる場合、外観上不連続になるため、前記洗濯機及び乾燥機のリアカバー２０ａ、２０を交換して単一な連続的な特定外観をなすようにする。この際、前記単一な連続的な特定外観が半円弧である場合、一つのリアカバーでは左右側の高さが異なる。
【００３２】
図２にて洗濯機のリアカバー２０ａは左側が低く、右側が高い形状を有する。前記洗濯機リアカバー２０ａの下側の収用部１６ａの左側にはコントローラ１２ａが装着されるが、前記リアカバー２０ａとコントローラ１２ａとが干渉されないようにするべきである。従って、前記コントローラ１２ａが積載される収用部１６ａの深さは前記コントローラ１２ａの高さより深いべきである。即ち、一定の高さを有するコントローラ１２ａがリアカバー２０ａに干渉し合わないように、トップカバー１０ａの後方に形成された一定の深さの収用部１６ａに装着される。
【００３３】
もし、洗濯機と乾燥機との設置位置が入れ替わる場合にも同様である。図４は洗濯機と乾燥機との設置位置が入れ替わった場合を示した洗濯機及び乾燥機の背面図である。今回は乾燥機のコントローラ１２と元来洗濯機に装着されていたリアカバー２０ａとの干渉防止が問題になる。前記リアカバー２０ａは左側が低く、右側が高く形成される。前記乾燥機のコントローラ１２はトップカバー１０上の左側に位置し、一定の高さを有する。従って、前記コントローラ１２とリアカバー２０ａとが互いに干渉し合わないように前記コントローラ１２が装着する収用部１６の深さが前記コントローラ１２の高さより深く形成されるべきであることは前述した通りである。従って、洗濯機及び乾燥機各々のコントローラ１２ａ、１２はいつもリアカバー２０ａ、２０と干渉せずに装着される。
【００３４】
前記リアカバー及びコントローラの装着構造に関する第２実施形態として、トップカバーに収用部を形成しない場合を説明する。
図５には本実施形態によるリアカバーの構造を示している。洗濯機及び乾燥機のトップカバー１１０ａ、１１０の後方には収用部が形成されないため、コントローラ１１２ａ、１１２はトップカバー１１０ａ、１１０の後方上部面に正しく装着される。前記洗濯機及び乾燥機のリアカバー１２０ａ、１２０は各々左右両側に同一の高さに延長して形成された基底部１３０ａ、１３０を有する。前記基底部１３０ａ、１３０はコントローラ１１２ａ、１１２とリアカバー１２０ａ、１２０とが互いに干渉し合うことを防止するために一定の高さの段差を与えるためのものである。前記リアカバー１２０ａ、１２０は前記基底部１３０ａ、１３０の上部で単一の連続的な特定形状をなすように半円弧の曲面をなしている。また、洗濯機のリアカバー１２０ａと乾燥機のリアカバー１２０とは交換可能に構成される。
【００３５】
前記基底部１３０ａ、１３０の高さは前記コントローラ１１２ａ、１１２の高さより高く形成されて洗濯機と乾燥機との設置位置が入れ替わることによりリアカバー１２０ａ、１２０が互いに入れ替わる場合にもコントローラ１１２ａ、１１２とリアカバー１２０ａ、１２０とが干渉し合わない。
【００３６】
以下、本発明のコントロールユニットとコントローラとの間の電線連結構造に関して詳しく説明する。
図２に示すように、洗濯機のリアカバー２０ａ及び乾燥機のリアカバー２０でコントロールユニット２２ａ、２２が着脱可能に設置されるように形成される開口部の位置が互いに反対方向である。即ち、洗濯機リアカバー２０ａではコントロールユニット２２ａが右側に設けられ、乾燥機リアカバー２０ではコントロールユニット２２が左側に設けられている。洗濯機及び乾燥機のコントローラ１２ａ、１２はすべてトップカバー１０ａ、１０の後方の左側に位置している。図示したように、洗濯機のコントローラ１２ａとコントロールユニット２２ａとの間の距離が相対的に長くなる。従って、前記コントローラ１２ａとコントロールユニット２２ａとを連結するための電線１４ａも長くする必要がある。
【００３７】
洗濯機と乾燥機との設置位置が入れ替わってリアカバー２０ａ、２０が互いに入れ替わった場合は図４に示されている。乾燥機のコントロールユニット２２とコントローラ１２との距離が遠くなるため、これを連結するための電線１４の長さは長くする必要がある。反面、洗濯機ではコントロールユニット２２ａとコントローラ１２ａとの距離が近づいていることがわかる。
【００３８】
前記のように洗濯機と乾燥機との位置が入れ替わる場合を考慮して、前記コントロールユニット２２ａ、２２とコントローラ１２ａ、１２とを連結する電線１４ａ、１４はトップカバーの左右幅に対応する長さを有するようにする。従って、リアカバー２０ａ、２０の交換によりコントロールユニット２２ａ、２２とコントローラ１２ａ、１２との間の長さが変わっても電線１４ａ、１４は一定の余裕を持って安定的に信号連結を可能にする。
【００３９】
一方、先の実施形態で一つの洗濯機及び一つの乾燥機を含む洗濯機及び乾燥機セットを開示しているが、本発明はかかる実施形態にのみ限定されることではない。即ち、必要に応じて本発明の洗濯システムは一つのセットとして複数個の洗濯機及び乾燥機からなるセットにも適用され得る。かかる実施形態でも先に説明したように、前記リアカバーは互いに入れ替わるように構成され得、これにより一つのセット内の各装置の位置が入れ替わっても一つの連続的な特定外観を維持できる。従って、実施形態は前述した実施形態と実質的に同一であるため、これに対する詳細な説明は下記では省略する。
【００４０】
これ以外にも本発明がその趣旨及び範疇から外れることなく、多くの他の特定形態に具体化され得るという事実は、該当技術に通常の知識を有する者に自明なものである。従って、前述した実施形態は制限的なものではなく、例示的なものとして考えるべきであり、これにより本発明は前述した詳細な説明に限定されず、添付の請求項の範疇及びその同等範囲内で変形され得る。
【００４１】
【発明の効果】
以上説明したように、本発明は次のような効果がある。
本発明の洗濯機及び乾燥機セットにて洗濯機と乾燥機との位置が入れ替わって、洗濯システムが不均一な外型を有することになっても、前記リアカバーは特定外観を回復するように交換され得る。結果的に前記洗濯機及び乾燥機の位置は外観の変化なしに、変化自在であり、これにより本発明はユーザーに実質的な便利をもたらす。
【図面の簡単な説明】
【図１】本発明による洗濯機及び乾燥機の斜視図である。
【図２】本発明の第１実施形態による洗濯機及び乾燥機セットのリアカバーアセンブリを示す背面斜視図である。
【図３】本発明の洗濯機と乾燥機との設置位置が入れ替わった場合のリアカバーアセンブリを示す背面図である。
【図４】本発明の洗濯機及び乾燥機の設置位置に応じてリアカバーを交換した場合の背面図である。
【図５】本発明の第２実施形態による洗濯機及び乾燥機セットのリアカバーアセンブリの背面図である。
【符号の説明】
１０、１０ａ…トップカバー
１１、１１ａ…キャビネット
１２、１２ａ…コントローラ
２０、２０ａ…リアカバーア
２２、２２ａ…コントロールユニット
Ａ…洗濯機
Ｂ…乾燥機
【図１】
0003819868.tif 000002
【図２】
0003819868.tif 000003
【図３】
0003819868.tif 000004
【図４】
0003819868.tif 000005
【図５】
0003819868.tif 000006